(57)【要約】【課題】  操作性を向上させる共にプレビューすることなく検査情報ファイルの検索、選択、編集及び最適ファイルの抽出を行うこと。【解決手段】  被検体Ｓの欠陥又は状態を検査すると共に識別番号が付与されたプローブ２と、該プローブ２を着脱自在に固定すると共に該プローブ２を操作する検査装置本体３とを備え、検査装置本体３が、記録媒体に記録されている検査情報ファイル内の主要パラメータをメモリ上に読み出して記憶する第１の記憶手段７と、記憶された主要パラメータを、階層化されたユーザインターフェースとして表示する第１の表示制御手段３０と、階層化されたユーザインターフェースから所望の情報を選択する操作選択制御手段３１と、選択した情報を、ユーザインターフェース上に表示させる第２の表示制御手段３２とを備えている非破壊検査診断装置１を提供する。【選択図】  図１
2006275949.tif 000002
【特許請求の範囲】
【請求項１】
被検体の欠陥又は状態を検査すると共に識別番号が付与されたプローブと、
該プローブを着脱自在に固定すると共に該プローブを操作する検査装置本体とを備える非破壊検査診断装置であって、
前記検査装置本体が、記録媒体に記録されている検査情報ファイル内の主要パラメータをメモリ上に読み出して記憶する第１の記憶手段と、記憶された前記主要パラメータを、階層化されたユーザインターフェースとして表示する第１の表示制御手段と、階層化された前記ユーザインターフェースから所望の情報を選択する操作選択制御手段と、選択した前記情報を、前記ユーザインターフェース上に表示させる第２の表示制御手段とを備えていることを特徴とする非破壊検査診断装置。
【請求項２】
請求項１に記載の非破壊検査診断装置において、
前記ユーザインターフェース上の前記主要パラメータに所望の値を入力する入力制御手段を備えていることを特徴とする非破壊検査診断装置。
【請求項３】
請求項１又は２に記載の非破壊検査診断装置において、
前記プローブから前記識別番号を読み出して記憶する第２の記憶手段を備え、
前記第１の表示制御手段は、前記プローブが着脱により交換されたときに、第２の記憶手段で記憶された前記識別番号に関連する前記主要パラメータを表示することを特徴とする非破壊検査診断装置。
【発明の詳細な説明】
【技術分野】
【０００１】
本発明は、被検体の表面や内部の欠陥を非破壊検査する非破壊検査診断装置に関するものである。
【背景技術】
【０００２】
従来、非破壊検査診断装置において、ＰＣカードやハードディスク等の記憶装置に格納された検査情報ファイルを検索する場合には、図７に示すようなユーザインターフェースが一般的に採用されている。
この図７に示す画面６０は、検査情報ファイル内のデータを非破壊検査診断装置に読み込む際の「ファイル選択画面」の代表的な例である。この画面６０を使用する際、操作者は、記憶装置内にあるファイルの名称、作成日時、ファイル形式等の一覧６１から所望のファイルを推察し、Ｏｐｅｎ ボタン６２を押すことで、読み込みを実行することができる。また、ファイル内の主要なパラメータ等を確認したい場合には、Ｐｒｅｖｉｅｗボタン６３を押すことにより、図８に示すようなファイルプレビュー画面６４の表示を行う。そして、操作者は、このファイルプレビュー画面６４でファイルの内容を確認した後、データの読み込みを実行することができる。
【特許文献１】特開２００２−２３６１００号公報
【発明の開示】
【発明が解決しようとする課題】
【０００３】
しかしながら、上記従来の非破壊検査診断装置では以下のような課題が残されていた。
即ち、従来の検査情報ファイル選択画面のユーザインターフェースでは、ファイル検索、選択時に、基準となる検査種類、プローブＩＤ、音速及び周波数等の情報を一度に（一目で）把握できる構成にはなっておらず、これらの情報を確認するためには検査情報ファイルを１つずつプレビュー表示する必要があった。このため、検査情報ファイル選択の操作性上、大きく分けて下記の３つの課題が残されていた。
【０００４】
第１の課題としては、操作者が検査情報ファイルを一つずつプレビューしないと、ファイル内に格納された主要パラメータを把握することが困難であった。また、多数の検査情報ファイルから所望のファイルを検索する場合に、検査情報ファイルの数だけプレビューを行うので、プレビューの操作回数が膨大な数になるものであった。更に、プレビューする際に、検査情報ファイルを１つ１つオープンする必要があるので、ファイルアクセスに時間がかかるものであった。
【０００５】
また、第２の課題としては、検査情報の一部のみを変更した別の検査情報ファイルを作成する場合には、検査情報を非破壊検査診断装置に読み込ませ、その後データを変更し、再度別名で保存するといった操作が必要であり、手間のかかるものであった。
【０００６】
また、第３の課題としては、プローブの交換を行った場合には、交換後のプローブに最適な検査情報ファイルの抽出や読み込みの要求を促すことを実施していなかった。又は、仮にこれらのことを実施したとしても、処理時間がかかる不都合があった。
【０００７】
この発明は、上記従来技術の問題点に鑑みてなされたものであり、その目的は、検査情報ファイル選択画面のユーザインターフェースを改良して、検査情報ファイル内の主要パラメータを階層化させて表示することで、操作性を向上させる共に、プレビューすることなく検査情報ファイルの検索、選択、編集及び最適ファイルの抽出を行うことができる非破壊検査診新装置を提供することである。
【課題を解決するための手段】
【０００８】
上記の目的を達成するために、この発明は以下の手段を提供している。
請求項１に係る発明は、被検体の欠陥又は状態を検査すると共に識別番号が付与されたプローブと、該プローブを着脱自在に固定すると共に該プローブを操作する検査装置本体とを備える非破壊検査診断装置であって、前記検査装置本体が、記録媒体に記録されている検査情報ファイル内の主要パラメータをメモリ上に読み出して記憶する第１の記憶手段と、記憶された前記主要パラメータを、階層化されたユーザインターフェースとして表示する第１の表示制御手段と、階層化された前記ユーザインターフェースから所望の情報を選択する操作選択制御手段と、選択した前記情報を、前記ユーザインターフェース上に表示させる第２の表示制御手段とを備えている非破壊検査診断装置を提供する。
【０００９】
この発明に係る非破壊検査診断装置においては、検査情報ファイル内の主要パラメータをメモリ上に読み出して記憶する第１の記憶手段を備えているので、検査情報ファイル内の主要パラメータ値を参照表示する際に、アクセス時間を短縮することができる。また、この第１の記憶手段に記憶された情報を、階層化されたファイル選択画面のユーザインターフェースとして操作者に伝えることのできる第１の表示制御手段を備えているので、操作者は、一度（一目）で検査情報ファイルに格納された主要パラメータを把握できる。また、現在選択されている検査種別に関する情報のみを、選択的に表示することもできる。
【００１０】
また、ユーザインターフェースから所望の情報、例えば、パラメータ値をカーソル等で選択する操作選択制御手段を備えているので、所望のパラメータ値を逐次選択することができ、最終的に検査情報ファイルのプレビュー操作をすることなく、検査情報ファイルを選択することができる。  
更に、検査情報ファイル検索する際に、各階層で選択したパラメータ内容をユーザインターフェース上に表示させる第２の表示制御手段を備えているので、どのパラメータ項目でどのような値を選択したかを把握することができる。これにより、選択済みのパラメータ値選択用の画面表示を非表示にすることができ、画面上の情報表示領域を制約することができる。
【００１１】
請求項２に係る発明は、請求項１に記載の非破壊検査診断装置において、前記ユーザインターフェース上の前記主要パラメータに所望の値を入力する入力制御手段を備えている非破壊検査診断装置を提供する。
【００１２】
この発明に係る非破壊検査診断装置においては、主要パラメータに任意の値（所望の値）を入力する入力制御手段を備えているので、検査情報ファイルの主要パラメータの一部のみを変更した検査情報を読み込ませたい場合に、入力された数値を検査情報ファイル内のパラメータ値と置き換えて読み込ませることができる。従って、検査情報ファイルのコピーや編集操作が不要となる。
【００１３】
請求項３に係る発明は、請求項１又は２に記載の非破壊検査診断装置において、前記プローブから前記識別番号を読み出して記憶する第２の記憶手段を備え、前記第１の表示制御手段が、前記プローブが着脱により交換されたときに、第２の記憶手段で記憶された前記識別番号に関連する前記主要パラメータを表示する非破壊検査診断装置を提供する。
【００１４】
この発明に係る非破壊検査診断装置においては、プローブの識別番号、即ち、プローブＩＤを読み出して記憶する第２の記憶手段を備えているので、プローブの抜き差し（交換）が行われた際に、記憶された新旧プローブＩＤ（交換前のプローブＩＤ、交換後のプローブＩＤ）の相違からプローブが交換されたことを容易且つ確実に認識することができる。
また、第１の表示制御手段が、プローブが交換されたときにプローブＩＤに関連する主要パラメータを表示するので、例えば、新たなプローブＩＤに合致するパラメータ値が第１の記憶手段内に存在する場合には、該当するファイル群をユーザインターフェース上に抽出表示させて操作者に最適なファイルの読込みを促すことができる。
【発明の効果】
【００１５】
本発明に係る非破壊検査診断装置によれば、検査情報ファイル内の主要パラメータを階層化させて表示することで、操作性を向上させる共に、プレビューすることなく検査情報ファイルの検索、選択、編集及び最適ファイルの抽出を行うことができる。
【発明を実施するための最良の形態】
【００１６】
以下、本発明に係る非破壊検査診断装置の一実施形態について、図１から図６を参照して説明する。
本実施形態の非破壊検査診断装置１は、図１に示すように、被検体Ｓの欠陥又は状態を検査すると共にプローブＩＤ（識別番号）が付与されたプローブ２と、該プローブ２を着脱自在に固定すると共に該プローブ２を操作する検査装置本体３とを備えている。
プローブ２は、内部に図示しない圧電素子を備えており、該圧電素子が振動することで被検体Ｓに超音波Ｐを送信するようになっている。一方、圧電素子は、被検体Ｓで反射されたパルスエコーによっても振動し、該振動エネルギーを電気信号に変換して検査信号として出力するようになっている。即ち、プローブ２は、被検体Ｓに超音波Ｐを送信すると共に、被検体Ｓの欠陥又は振動状態に応じた出力信号を出力するようになっている。
【００１７】
検査装置本体３は、各種制御を行うＣＰＵ(コントローラ)５と、各種処理を行うための動作プログラム等が予め記憶されたＲＯＭ６と、ＣＰＵ５による処理の過程で発生する一時的なデータ等が記憶されるＲＡＭ７と、ハードディスクや着脱可能なＰＣカード等の記録媒体が装着され、検査情報ファイルを含む各種データが格納される記憶装置８とを備えている。
また、ＣＰＵ５には、操作部９が電気的に接続されており、操作部９から各種の操作信号が出力されてＣＰＵ５に入力するようになっている。また、ＣＰＵ５には切り替え部１０を介して、バッテリ１１や外部電源（ＡＣ１００Ｖ）１２から電力が供給されるようになっている。また、ＣＰＵ５には、モニタ１３に画像を表示するための画像信号を出力する画像制御部１４が接続されており、この画像制御部１４から出力された画像信号がモニタ１３に入力され、モニタ１３上に表示される。
【００１８】
また、検査装置本体３には、外部接続端子１５を介して周辺機器１６を接続できるようになっており、接続した時点で周辺機器１６がＣＰＵ５に電気的に接続される。また、周辺機器１６と同様に、検査装置本体３には、外部接続端子１７を介してビデオカメラ１８が接続できるようになっている。このビデオカメラ１８からの映像信号は、ビデオデコーダ１９によってアナログ信号からデジタル信号に変換された後、画像制御部１４に入力され、その後モニタ１３に表示されるようになっている。なお、ＣＰＵ５が、ビデオデコーダ１９の制御やモニタ１３に表示する映像の制御等を行っている。
【００１９】
また、検査装置本体３は、パルスを発生させてプローブ２の圧電素子に印加し、圧電素子を振動させるパルサー回路２０と、プローブ２の圧電素子から出力された検査信号を受信するレシーバ回路２１とを備えている。レシーバ回路２１は、受信した検査信号をＡ／Ｄコンバータ２２に出力する。Ａ／Ｄコンバータ２２は、入力された検査信号をアナログ信号からデジタル信号に変換した後に検波計測部２３に出力する。検波計測部２３は、デジタル信号に変換された検査信号を計測して被検体Ｓの欠陥（傷等）や状態の計測を行う。また、この検査信号は、波形メモリ２４を介して画像制御部１４に送られた後、モニタ１３上に表示される。これにより、検査者は、被検体Ｓの欠陥や状態を目視により確認することができる。
【００２０】
上記ＲＡＭ７は、ＣＰＵ５のワークエリア等として使用され、記憶装置８から読み出された検査情報ファイルの主要パラメータ値も格納されるようになっている。即ち、ＲＡＭ７は、記録媒体に記録されている検査情報ファイル内の主要パラメータをメモリ上に読み出して記憶する第１の記憶手段として機能する。このように、検査情報ファイルの主要パラメータがＲＡＭ７上に保持（記憶）されるので、主要パラメータ値を参照する場合には、記憶装置８を直接アクセスするよりもスピードが向上する。
【００２１】
また、検査装置本体３は、第１の記憶手段であるＲＡＭ７に記憶された主要パラメータを、階層化されたユーザインターフェースとしてモニタ１３に表示する第１の表示制御部（第１の表示制御手段）３０と、階層化されたユーザインターフェースから所望の情報を選択する操作選択制御手段３１と、選択した情報を、ユーザインターフェース上に表示させる第２の表示制御部（第２の表示制御手段）３２と、ユーザインターフェース上の主要パラメータに所望の値を入力する入力制御手段３３とを備えている。
上記第１の表示制御部３０及び第２の表示制御部３２は、ＣＰＵ５内に組み込まれている。また、本実施形態では、操作部９及び後述するカーソル４３が、上記操作選択制御手段３１及び入力制御手段３３を構成している。
【００２２】
また、ＲＡＭ７は、プローブ２からプローブＩＤを読み出して記憶する第２の記憶手段としても機能するようになっており、第１の表示制御部３０は、プローブ２が着脱により交換されたときに、ＲＡＭ７で記憶されたプローブＩＤに関連する主要パラメータを表示するようになっている。
これら各構成品及び代表的なユーザインターフェースについて以下に詳細に説明する。
【００２３】
本実施形態のユーザインターフェース画面の１つを、図２に示す。この画面４０は、「ファイル選択画面」と呼ばれるものであり、操作者がこのファイル選択画面４０を見ながら、新たに読み込ませたい検査情報ファイルを検索、選択することができる。
このファイル選択画面４０のレイアウトを説明する。タイトルバー４１は、この画面が「ファイル選択画面」であることを示している。タイトルバー４１の下には、主要パラメータ選択内容を示す選択値階層表示バー４２が配置されている。この選択値階層表示バー４２は、操作選択制御手段３１を構成しているカーソル４３により選択されたパラメータ値を表示する。例えば、カーソル４３を使用して検査種類「ＳＴＡＮＤＡＲＤ」を選択し、その後、プローブI D“ＸＡ８５４２”を選択すると、選択値階層表示バー４２には「ＳＴＡＮＤＡＴＤ＞＞ＸＡ８５４２」と表示される。そして、主要パラメータを選択する度に、選択値階層表示バー４２にその選択値が追加される。操作者はこれを見ることで、自分がどのパラメータ値を選択しているのかを把握することができる。
【００２４】
選択値階層表示バー４２の下には、記憶装置８内に記録されている検査情報ファイルの主要パラメータを階層表示した階層表示リスト４４がある。この階層表示リスト４４には、操作者が所望の検査情報ファイルを決定するのに必要ないくつかの主要パラメータが表示されている。例えば、「検査種別」、「プローブＩＤ」、「材料音速」、「周波数」、「レンジ」等が表示される。階層表示リスト４４では、選択操作上、不要な情報は極力隠蔽される。例えば、操作者が検査種別のパラメータ値として、「ＳＴＡＮＤＡＲＤ」を選択した場合、「ＰＨＡＳＥＤ  ＡＲＲＡＹ」検査種別に関する階層表示は不要であるため、自動的に隠蔽表示される。なお、隠蔽された情報は、「ＰＨＡＳＥＤ  ＡＲＲＡＹ」隠蔽表示４５の項目にカーソル４３をあわせることで解除される。
また、同様に例えばプローブＩＤが選択済みになった場合には、選択されたプローブＩＤ以外のＩＤを格納している検査情報ファイルの主要パラメータ表示は不要となるので、自動的に隠蔽表示される。
【００２５】
プローブＩＤ「ＸＡ８５４２」以外の情報が隠蔽された画面例を、図３に示す。隠蔽表示アイコン４６にカーソル４３を合わせることで、プローブＩＤの隠蔽表示が解除されて図２に示す状態に戻り、プローブＩＤを再選択することができる。この隠蔽処理によって、ユーザインターフェース表示領域を節約することができる。以降、同様にして主要パラメータを次々に選択することで、検査情報ファイルを直接プレビューをすることなく、検査情報ファイルの検索を行うことができ、ファイルが一つに絞り込めた時点でファイルの読込み要求を操作者に通知することができる。
【００２６】
次に、検査情報ファイルの一部の主要パラメータ値のみを変更して、検査情報を読み込ませる場合の画面例を図４に示す。画面５０は、検査種別「ＳＴＡＮＤＡＲＤ」、プローブＩＤ「ＸＡ８５４２」、材料音速「５８００」、周波数「２０００」、レンジ「１５０」、ファイル名「Inspect30」のファイル５１が保持している検査情報のうち、材料音速のパラメータ値だけ「４８７０」に置き換えて読み込ませる場合の画面である。
【００２７】
材料音速のパラメータ値に所望のデータがない場合には、カーソル４３を上方向に移動させると、選択値階層表示バー４２にあわせることができる。ここで、所望の数値を人力する。この数値は、ファイル読込み処理の実行時に、ファイル内の材料音速値と置き換えられて読み込まれる。また、カーソル４３を右に動かすと、次の選択パラメータである周波数の項目を選択をすることができ、検査情報ファイルが一つに絞り込めた時点で、ファイルの読み込み要求を操作者に通知することができる。
以上の操作を行えば、主要パラメータ値の一部だけが異なる検査情報を読み込ませたい場合に、操作者による検査情報ファイルのコピーや編集が不要になる。
【００２８】
次に、プローブ２の抜き差し（交換）が行われた際に、新たなプローブＩＤに適合するファイル群をユーザインターフェース上に抽出表示し、操作者に最適なファイルの読み込みを促す処理についての動作表を図５に示す。この図５において、横列はプローブ２の差し替え前の状態を示し、縦列はプローブ２の差し変え後の状態を示す。
なお、プローブ２は、ＩＤ情報を内蔵して読み出し可能なものと、ＩＤ情報を内蔵せず、読み出し不可能なものとの２種類が存在するものとして説明する。
【００２９】
この動作表について説明する。図５に示すように、差し替え前のプローブ２がプローブＩＤ読み出し不可の場合で、且つ、差し替え後のプローブ２もプローブＩＤ読み出し不可の場合には（動作５５）、プローブ２の種類の変化を把握できないため、「プローブ交換がされていないことを確認してください」というメッセージを操作者に対して表示する。
また、差し替え前のプローブ２がプローブＩＤ読み出し不可の場合で、且つ、差し替え後のプローブ２がプローブＩＤ読出し可能の場合には（動作５６）、プローブＩＤを読み取り、差し替え後のプローブＩＤと同じプローブＩＤを保持している検査情報ファイルを抽出して、読み込み要求メッセージを表示する。
【００３０】
また、差し替え前のプローブ２がプローブＩＤ読出し可能の場合で、且つ、差し替え後のプローブ２がプローブＩＤ読み出し不可の場合には（動作５７）、差し替え後のプローブＩＤと同じプローブＩＤを保持している検査データファイルを抽出して、読み込み要求メッセージを表示する。
また、差し替え前のプローブ２がプローブＩＤ読出し可能の場合で、且つ、差し替え後のプローブ２もプローブＩＤ読出し可能の場合には（動作５８）、差し替え前と差し替え後とのプローブＩＤを比較して、プローブＩＤが異なる場合に、差し替え後のプローブＩＤと同じプローブＩＤを保持している検査データファイルを抽出して、読込み要求メッセージを表示する。
【００３１】
このように構成された非破壊検査診断装置１の動作について、図６に示すフローチャートに基づいて以下に説明する。なお、図６に示すフローチャートは、図５に示す動作表にしたがって実行される処理のフローチャートでである。
ステップＳ１では、非破壊検査診断装置１に電源投入した直後等において、現在挿入されている（固定されている）プローブ２のプローブＩＤが取得されているか否かを判断する。そして、取得されていない場合（ＮＯの場合）には、ステップＳ２へ進み、既にプローブＩＤが取得されている場合（ＹＥＳの場合）には、ステップＳ３へ進む。
ステップＳ２では、現在挿入されているプローブＩＤを読み込み、ＲＡＭ７に格納する（ＩＤ１とする）。この際、プローブＩＤを保持していないタイプのプローブ２が装着されている場合には、ＩＤ１には「ＮＵＬＬ」情報が取得される。
【００３２】
ステップＳ３では、プローブコネクタの抜き差しハードウエア検出があったか否か、又は、プローブ抜き差しをハードウエアで検知できないような状態（バッテリドアオープン開閉等）があったか否かを判断する。そして、該当する場合（ＹＥＳの場合）には、ステップＳ４へ進み、該当しない場合（ＮＯの場合）には、ステップＳ１１に進む。
ステップＳ４では、新たに挿入されたプローブ２からプローブＩＤを取得してＲＡＭ７に記憶する（ＩＤ２とする）。この際、プローブＩＤを保持していないタイプのプローブ２が装着されている場合には、ＩＤ２には「ＮＵＬＬ」情報が取得される。
【００３３】
次に、ステップＳ５において、ＲＡＭ７に格納されているＩＤ１とＩＤ２との比較を行う。比較した結果、ＩＤ１とＩＤ２とが同じ場合（ＹＥＳの場合）には、Ｓ６へ進む。一方、異なる場合（ＮＯの場合）には、プローブ２の交換が行われたと判断してステップＳ７へ進む。
ステップＳ６では、プローブ２の差し替え前と差し替え後とでプローブＩＤの取得が不可であったか否かを判断する。その結果、ＩＤ１及びＩＤ２が共に「ＮＵLＬ」でない場合（ＮＯの場合）には、プローブ２の交換が行われなかったと判断してステップＳ１１へ進む。一方、ＩＤ１及びＩＤ２が共に「ＮＵLＬ」の場合（ＹＥＳの場合）には、ステップＳ７ヘ進み、操作者に「プローブが交換されていないことを確認してください」というメッセージを表示した後、ステップＳ１１へ進む。
【００３４】
ステップＳ８では、新たに挿入されたプローブ２からプローブＩＤの読み出しが可能か否かを判断する。その結果、ＩＤ２にプローブＩＤが格納されている場合（ＹＥＳの場合）には、ステップＳ９へ進む。一方、プローブＩＤの読み出しが不可の場合（ＮＯの場合）には、ステップＳ１０へ進む。
ステップＳ９では、ＲＡＭ７に格納されている主要パラメータから、ＩＤ２と同じＩＤを格納している検査情報ファイルを抽出してユーザインターフェース上に表示し、操作者にファイルの読み込みを促した後、ステップＳ１１へ進む。
【００３５】
ステップＳ１０では、新たに挿入されたプローブのＩＤ情報の読み出しができないため、現在選択されている検査種別をキー情報にしてファイルの抽出を行う。そして、ＲＡＭ７に格納されている主要パラメータから、現在選択されている検査種別と同じ検査種別を格納している検査情報ファイルを抽出してユーザインターフェース上に表示し、操作者にファイルの読み込みを促した後、ステップＳ１１へ進む。
ステップ１１では、新旧プローブ情報の更新を行い、その後、処理を終了する。
上述した処理を実行することで、プローブ２の差し替え時に最適な検査情報ファイルの抽出及び読み込みを操作者に促すことができる。
【００３６】
上述したように、本実施形態の非破壊検査診断装置１においては、検査情報ファイル内の主要パラメータをメモリ上に読み出して記憶するＲＡＭ７を備えているので、検査情報ファイル内の主要パラメータ値を参照表示する際に、アクセス時間を短縮することができる。また、このＲＡＭ７に記憶された情報を、階層化されたファイル選択画面４０のユーザインターフェースとして操作者に伝えることのできる第１の表示制御部３０を備えているので、操作者は、一度（一目）で検査情報ファイルに格納された主要パラメータを把握できる。また、現在選択されている検査種別に関する情報のみを、選択的に表示することもできる。
【００３７】
また、ユーザインターフェースから所望の情報、例えば、パラメータ値をカーソル４３等で選択する操作選択制御手段３１を備えているので、所望のパラメータ値を逐次選択することができ、最終的に検査情報ファイルのプレビュー操作をすることなく、検査情報ファイルを選択することができる。  
更に、検査情報ファイル検索する際に、各階層で選択したパラメータ内容をユーザインターフェース上に表示させる第２の表示制御部３２を備えているので、どのパラメータ項目でどのような値を選択したかを把握することができる。これにより、選択済みのパラメータ値選択用の画面表示を非表示にすることができ、画面上の情報表示領域を制約することができる。
【００３８】
また、主要パラメータに任意の値（所望の値）を入力する入力制御手段３３を備えているので、検査情報ファイルの主要パラメータの一部のみを変更した検査情報を読み込ませたい場合に、入力された数値を検査情報ファイル内のパラメータ値と置き換えて読み込ませることができる。従って、検査情報ファイルのコピーや編集操作が不要となる。
【００３９】
更に、ＲＡＭ７がプローブＩＤを読み出して記憶するので、プローブ２の抜き差し（交換）が行われた際に、記憶された新旧プローブＩＤの相違をからプローブ２が交換されたことを容易且つ確実に認識することができる。また、第１の表示制御部３０が、プローブ２が交換されたときにプローブＩＤに関連する主要パラメータを表示するので、例えば、新たなプローブＩＤに合致するパラメータ値がＲＡＭ７内に存在する場合には、該当するファイル群をユーザインターフェース上に抽出表示させて操作者に最適なファイルの読込みを促すことができる。
【００４０】
このように、本実施形態の非破壊検査診断装置１によれば、検査情報ファイル内の主要パラメータを階層化させて表示することで、操作性を向上させる共にプレビューすることなく検査情報ファイルの検索、選択、編集及び最適ファイルの抽出を行うことができる。
【００４１】
なお、本発明の技術範囲は上記実施の形態に限定されるものではなく、本発明の趣旨を逸脱しない範囲において種々の変更を加えることが可能である。
【図面の簡単な説明】
【００４２】
【図１】本発明に係る非破壊検査診断装置の一実施形態を示す構成ブロック図である。
【図２】図１に示す非破壊検査装置のユーザインタフェース画面の一例を示す図である。
【図３】図２に示す画面において、プローブＩＤ「ＸＡ８５４２」以外の情報が隠蔽された画面の状態を示す図である。
【図４】検査情報ファイルの一部の主要パラメータ値のみを変更した場合の画面の状態を示す図である。
【図５】プローブの抜き差しを行った際に、操作者に最適なファイルの読み込みを促す処理について動作表である。
【図６】図５に示す動作表にしたがって実行される処理のフローチャートである。
【図７】従来の非破壊検査診断装置のユーザインタフェース画面の一例を示す図である。
【図８】図７に示す画面の「Ｐｒｅｖｉｅｗボタン」を押したときに示されるファイルプレビュー画面を示す図である。
【符号の説明】
【００４３】
Ｓ    被検体
１    非破壊検査診断装置
２    プローブ
３    検査装置本体
７    ＲＡＭ（第１の記憶手段、第２の記憶手段）
３０    第１の表示制御部（第１の表示制御手段）
３１    操作選択制御手段
３２    第２の表示制御部（第２の表示制御手段）
３３    入力制御手段
【図１】
2006275949.tif 000003
【図２】
2006275949.tif 000004
【図３】
2006275949.tif 000005
【図４】
2006275949.tif 000006
【図５】
2006275949.tif 000007
【図６】
2006275949.tif 000008
【図７】
2006275949.tif 000009
【図８】
2006275949.tif 000010